(57)【要約】【課題】複数のキーワード（ＩＤとパスワードなど）を組合せて使用を許可（ログイン）する装置（コンピュータシステム）などのキーワード備忘録にあって、その備忘録を紛失したり、盗難にあったりした場合の安全性をどの様に確保するかという課題がある。【解決手段】複数のキーワードを別々の備忘録へ記録し、別々に保管する方法が考えられる。しかし、幾つもの組合せがある場合、どの組合せかが簡単に判る必要がある。  そこで別々の備忘録に記録されたＩＤとパスワードを合言葉や数字やアルファベットや図形（マーク）などで繋ぎ、どの組合せかが判る様に記録することで使い易さと安全性を確保した。  また、携帯性も考慮し、名刺サイズのカードとすることで、キャッシュカード入れや名刺入れ、あるいは手帳などへ別々に保管することも容易となり、さらには両面が使えるなど利便性にも優れる。【選択図】図１
2015001841.tif 000002
【特許請求の範囲】
【請求項１】
複数キーワード（ＩＤとパスワードなど）を組合せて、使用を許可（ログイン）する装置（コンピュータシステム）などのキーワード備忘録にあって、前記複数キーワードを別々の前記備忘録へ別々に（ＩＤとパスワードなどを分けて）記録し、前記複数キーワードの複数の組合せを記録する場合において、前記備忘録に別々に記載される該複数の組合せキーワードをそれぞれの合言葉やあるいはそれぞれの数字やあるいはそれぞれのアルファベットやあるいはそれぞれの図形（マーク）などで、複数の前記備忘録間において、前記複数キーワードにあっては唯一の組合せであることを関連付けた備忘録。
【請求項２】
請求項１の備忘録にあって、前記キーワードを変更する場合に、記載されているラベルを貼り換えることで変更が可能なものとした備忘録。
【請求項３】
請求項１の備忘録にあって、面自体が複数（両面や別の組合せ備忘録など）存在するときに、組合せるべき前記面同士をそれぞれの割符図形やあるいはそれぞれの合言葉やあるいはそれぞれの数字やあるいはそれぞれのアルファベットやあるいはそれぞれの図形（マーク）などで、それぞれの前記面を組合せ、該複数面の唯一の組合せを関連付けた備忘録。
【請求項４】
請求項１の備忘録にあって、面自体が複数（両面や別の組合せ備忘録など）存在するときに、組合せるべき前記面同士を前記備忘録自体のそれぞれの色やあるいは割符図形のそれぞれの色やあるいは合言葉のそれぞれの色やあるいは数字のそれぞれの色やあるいはアルファベットのそれぞれの色やあるいは図形（マーク）などのそれぞれの色で、それぞれの前記面を組合せ、該複数面の唯一の組合せを関連付けた備忘録。
【発明の詳細な説明】
【技術分野】
【０００１】
本発明は、複数の組合せキーワード（ＩＤやパスワードなど）の備忘録に関するものである。
【背景技術】
【０００２】
近年、ＩＤとパスワードなどを組合せてログインを行わせ、注文処理や支払処理などのサービスを行うネットストアやネットバンキングなどの利用が便利になり、その数は増える一方である。それらの安全性を考慮すると同一のＩＤやパスワードを使い回す訳にもいかず、また安全性を重視するＷｅｂサイトは定期的に変更を求めたり、パスワードの強化策として文字の桁数制限や組合せ制限を要求したりして来るので備忘録などへの記載や更新を頻繁に行う必要がある。
【０００３】
また、携帯端末も増加の傾向にあり、備忘録を携帯する必要性も高まるが、携帯すると失くしてしまう危険性が伴う。記録が無くなってしまうことを防ぐだけなら、携帯する備忘録とは別に控えの備忘録を作っておけば良いが、失くした備忘録を拾った人が悪用することも考えられるので、失くしてしまった場合、記録しておいた関連装置（コンピュータシステム）のパスワード変更を全て行わなければならず、膨大な手間と時間を浪費することになる。
【０００４】
さらに、定期的に変更を促すＷｅｂサイトなどへの対応でパスワードを何度も変更したりすると備忘録に記載された、どのパスワードが現在のものか解り難くなったり、煩雑になったりする。
【先行技術文献】
【特許文献】
【０００５】
【特許文献１】実用新案出願２００７−２３７２
【発明の概要】
【発明が解決しようとする課題】
【０００６】
解決しようとする問題点は、忘れる、失くすという人間の必然性に対処するためのものであり、情報社会をより多くの人が安全に謳歌するための自己責任の確立と、もし紛失したり盗難にあったりしてもその安全性を確保する点にある。
【課題を解決するための手段】
【０００７】
本発明は、ＩＤやパスワードなどを記載した備忘録を紛失したり盗難にあったりした場合の安全性を確保するため、ＩＤとパスワードなどを分けて別々の備忘録へどのＩＤに対してどのパスワードが該当するかを合言葉などで関連づけて貼り換え可能なラベルなどへ記載して貼っておき、それぞれの備忘録は別々に保管、あるいは別々に持ち歩くなどの手段を用いた。もし一方を失くしたとしても、もう一方が解らなければ悪用することはできないので安全性が確保される。
【０００８】
複数の備忘録へ記載した複数のＩＤとパスワードなどの組合せは、それぞれの合言葉で、唯一の組合せを関連付けるものとする。
【０００９】
尚、それぞれの合言葉の代わりにそれぞれの数字や、あるいはそれぞれのアルファベットや、あるいはそれぞれの図形（マーク）などを使うか、もしくは、それぞれ違うものを使わなくてもそれぞれの色で、ＩＤとパスワードの唯一の組合せが関連づけられても良い。
【００１０】
複数の備忘録面（両面や別の組合せ備忘録など）が存在する場合は、それぞれの面の組合せをそれぞれの割符図形で関連づける。
【００１１】
尚、それぞれの割符図形の代わりにそれぞれの合言葉や、あるいはそれぞれの数字や、あるいはそれぞれのアルファベットや、あるいはそれぞれの図形（マーク）などを使うか、もしくは、それぞれ違うものを使わなくてもそれぞれの色で、複数面の唯一の組合せが関連づけられても良い。
【００１２】
また、ＩＤやパスワードなどの変更はラベルを貼り換えることにより、キーワードの更新を簡単に効率よく綺麗に行えるようにしている。
【発明の効果】
【００１３】
本発明は、備忘録が複数存在することで、その重要性を訴えると共に、紛失時の安全確保とラベルの貼り換えによるキーワードの更新を簡単に行い、いつも綺麗な状態で手早く記憶を甦らせることにある。
【図面の簡単な説明】
【００１４】
【図１】図１は備忘録の記録形態と使い方を示した説明図である。（実施例１）
【発明を実施するための形態】
【００１５】
複数のキーワード（ＩＤとパスワードなど）を分けて記録する複数の備忘録面に印刷されている割符図形などを対にして面を関連づけ、それぞれの一致する合言葉などでＩＤとパスワードの組合せを関連づけ、記憶を甦らせることにある。
【実施例１】
【００１６】
図１は、本発明の１実施例を示した図であって、２枚の名刺サイズカードに、それぞれのＩＤやパスワードなどを記載、整理し易い様に予め枠を印刷しておき、さらにそれらをラミネート加工してラベルの貼り換えに耐えられる様にしたものが準備してある。
【００１７】
ラミネート加工は、印刷物がラベルの貼り換えに耐えられる物であれば、わざわざ加工する必要はない。
【００１８】
ＩＤ側備忘録カード１００は、ＩＤ側として使い易い様に枠を準備したものであり、ＩＤ側備忘録カードとしているが、特にＩＤとしての使い方に制限するものではない。
【００１９】
パスワード側備忘録カード２００は、パスワード側として使い易い様に枠を準備したものであり、パスワード側備忘録カードとしているが、特にパスワードとしての使い方に制限するものではない。
【００２０】
ＩＤ側備忘録カード１００には、横方向へＩＤ側合言葉印刷列１０１とＩＤ貼り付け列１０２とＩＤ名称貼り付け列１０３の３列を設け、最上段へは列の内容を説明する見出し行を設ける。
【００２１】
また、右側の列はＩＤ側合言葉印刷列１０１の列とし、真ん中の列はＩＤ貼り付け列１０２の列とし、左側の列はＩＤ名称貼り付け列１０３とするが、特にそれぞれを限定するものではない。
【００２２】
さらに、縦方向へは１０個の行を設けた表とし、ＩＤ側合言葉印刷列１０１の列へは、１０種類の違った合言葉やあるいは違った数字やあるいは違ったアルファベットやあるいは違った図形（マーク）などを予め印刷しておく。縦方向の行と合言葉は１０個に限定するものではない。
【００２３】
さらに、ＩＤ側合言葉印刷列１０１内に限定しなくてもよいが、表面と裏面あるいは別備忘録などとの違いを示すためのそれぞれの割符図形（左側）１０９やもう一つの同じ割符図形（左側）１１０を、パスワード側備忘録カード２００と並べて合わせた時に１つの図形として形成される様に印刷しておく。もう一つの同じ割符図形（左側）１１０は、必ずしも存在する必要はない。
【００２４】
それぞれの割符図形は、それぞれの合言葉やそれぞれの数字やそれぞれのアルファベットやそれぞれの図形（マーク）などであっても良く、または、同じものであっても印刷色や表の枠線色やカード自体の面の色をそれぞれ変えるなどして、表面と裏面あるいは別備忘録などとの違いや組合せを関連付けられれば、それでも良い。
【００２５】
そして、ＩＤ貼り付け列１０２とＩＤ名称貼り付け列１０３の見出し行を除いたそれぞれの行には、ラベルを貼り付け易い様にＩＤ記載ラベル貼り付け枠１０７とＩＤ名称記載ラベル貼り付け枠１０８をそれぞれの列ごとに、それぞれの行へ点線で印刷しておく。点線で印刷するのは表の枠線とラベルの枠線を簡単に見分けることができる様にするために違えてある。必ずしも点線に限定するものではなく、線種やその線の色を変えたり、ラベル貼り付け枠内を色で塗り潰したりしても良い。
【００２６】
もう一方のパスワード側備忘録カード２００にも同じように横方向へパスワード側合言葉印刷列２０１と予備列２０２とパスワード貼り付け列２０３の３つの列を設け、最上段へは列の内容を説明する見出し行を設ける。
【００２７】
また、左側の列はパスワード側合言葉印刷列２０１の列とし、真ん中の列は予備列２０２の列とし、右側の列はパスワード貼り付け列２０３とするが、特にそれぞれを限定するものではない。
【００２８】
さらに、縦方向へは１０個の行を設けた表とし、パスワード側合言葉印刷列２０１の列へはＩＤ側備忘録カード１００で使った合言葉やあるいは数字やあるいはアルファベットやあるいは図形（マーク）など、ＩＤ側備忘録カード１００と同じもの１０種類をそのままの順番で予め印刷しておく。縦方向の行と合言葉は１０個に限定するものではないが、ＩＤ側備忘録カード１００と同じ数とする。
【００２９】
さらに、パスワード側合言葉印刷列２０１内に限定しなくてもよいが、表面と裏面あるいは別備忘録などとの違いを示すためのそれぞれの割符図形（右側）２０９やもう一つの同じ割符図形（右側）２１０をＩＤ側備忘録カード１００と並べて、合わせた時に１つの図形として形成される様に印刷しておく。もう一つの同じ割符図形（右側）２１０は、必ずしも存在する必要はない。
【００３０】
それぞれの割符図形は、それぞれの合言葉やそれぞれの数字やそれぞれのアルファベットやそれぞれの図形（マーク）などであっても良く、または、同じものであっても印刷色や表の枠線色やカード自体の面の色をそれぞれ変えるなどして、表面と裏面あるいは別備忘録などとの違いや組合せを関連付けられれば、それでも良い。
【００３１】
そして、予備列２０２とパスワード貼り付け列２０３の見出し行を除いたそれぞれの行には、ラベルを貼り付け易い様に予備記載ラベル貼り付け枠２０７とパスワード記載ラベル貼り付け枠２０８をそれぞれの列ごとに、それぞれの行へ点線で印刷しておく。点線で印刷するのは表の枠線とラベルの枠線を簡単に見分けることができる様にするために違えてある。必ずしも点線に限定するものではなく、線種やその線の色を変えたり、ラベル貼り付け枠内を色で塗り潰したりしても良い。
【００３２】
また、見出し行を除いた予備列２０２へは、合言葉の意味合いなどの説明を印刷しておくこともできる。
【００３３】
ＩＤ側備忘録カード１００とパスワード側備忘録カード２００は両面仕様と片面仕様があり、印刷が終わったものは、ラベルの貼り換えに耐えられる様にラミネートで保護加工する。ラミネート加工の際には片面ずつ印刷したものを合わせて両面仕様とすることもできる。ラミネート加工は、印刷物あるいは刻印物などがラベルの貼り換えに耐えられる物であれば、わざわざ加工する必要はない。
【００３４】
それぞれの合言葉などは色違いで、その違いを表すこともできるものとし、違った合言葉などに限定したものではない。
【００３５】
また、複数面に対しても面自体の色や割符図形などの印刷色を変えて、それぞれの面の組合せを表すこともできるものとし、それぞれの違った割符図形に限定したものではない。
【００３６】
今仮にメールアドレス（ＩＤ）を記載したラベルをＩＤ１０５に貼り付けた場合、どこのプロバイダーに登録したメールアドレスかを記載したラベルは、ＩＤ名称１０６に貼り付け、そのパスワードを記載したラベルは、パスワード２０６に貼り付ける。
【００３７】
パスワードを忘れたときに装置（コンピュータシステム）から聞かれるペットの名前などを登録した時は、そのペットの名前を記載したラベルを予備２０５に貼り付けることもできる。
【００３８】
そして、メールの内容を確認する際に、ＩＤとパスワードを忘れてしまい、装置（コンピュータシステム）へログインできない時は、ＩＤ側備忘録カード１００のＩＤ名称１０６からＩＤ１０５に記載されているメールアドレスを導き、その右側に印刷されたＩＤ側合言葉１０４のフリージアを確認し、パスワード側備忘録カード２００のパスワード側合言葉２０４に印刷されたフリージアの右端にあるパスワード２０６を導くことにより記憶を甦らせ、ログインしてメールの内容を確認することが可能となる。
【産業上の利用可能性】
【００３９】
複数キーワードを組合せてログインさせるシステムが主流である今日、それぞれから違ったキーワードの組合せを要求されたり、押し付けられるキーワードを記憶したり、変更を義務付けられたりすることの煩わしさや忘れてしまうことの苛立ちがある。パソコンやスマートホンなどの端末装置に記憶させる方法もあるが、その情報が盗まれたり、それらの端末が壊れたりした場合に記憶しておいたキーワードを取り出せなかったりもし、情報産業の発展が妨げられている節が伺える。そこで、簡単に利用でき、しかも携帯性と安全性が考慮された備忘録に記録し、何時でも何処でもその記憶を甦らせられれば、もっと多くの人々がより便利なシステムを貪欲に使う意識が芽生えるものと期待でき、日常生活の個人利用、企業などの団体利用、さらにシステム管理者の利用など応用範囲の拡大も期待できる。カード型備忘録に記録するというローテクでもモバイルコンピューティング時代の用途に適用できる。
【符号の説明】
【００４０】
１００    ＩＤ側備忘録カード
１０１    ＩＤ側合言葉印刷列
１０２    ＩＤ貼り付け列
１０３    ＩＤ名称貼り付け列
１０４    ＩＤ側合言葉
１０５    ＩＤ
１０６    ＩＤ名称
１０７    ＩＤ記載ラベル貼り付け枠
１０８    ＩＤ名称記載ラベル貼り付け枠
１０９    割符図形（左側）
１１０    もう一つの同じ割符図形（左側）
２００    パスワード側備忘録カード
２０１    パスワード側合言葉印刷列
２０２    予備列
２０３    パスワード貼り付け列
２０４    パスワード側合言葉
２０５    予備
２０６    パスワード
２０７    予備記載ラベル貼り付け枠
２０８    パスワード記載ラベル貼り付け枠
２０９    割符図形（右側）
２１０    もう一つの同じ割符図形（右側）
【図１】
2015001841.tif 000003